(57)【要約】【課題】アナログ信号および光デジタル信号用のヘッドホンに対して共通のＩ／Ｆを備え、かつ光デジタルヘッドホンに対して電源供給を行うことができる電子機器を提供する。【解決手段】４極端子を備えた一の出力ジャックを備え、出力ジャックに挿入されたプラグにアナログまたは光デジタル信号を供給するジャック回路と、アナログ信号用グランドと接続された第一の端子と、電源回路と接続された第二の端子と、右アナログ信号チャンネルと接続された第三の端子と、左アナログ信号チャンネルまたは光デジタル信号用プラググランドと選択的に接続される第四の端子と、第四の端子の接続先を左アナログ信号チャンネルとグランドとで切り替えるスイッチ回路と、所定の４極で構成された光デジタル信号用プラグが出力ジャックに挿入された場合、電源回路から電力供給を開始させ、かつスイッチ回路をグランド側に切り替える制御部とを備えた。【選択図】  図３
2010154173.tif 000002
【特許請求の範囲】
【請求項１】
アナログ信号およびデジタル信号のオーディオデータを出力するオーディオデータ出力回路と、
前記オーディオデータ出力回路より出力されたデジタル信号を光デジタル信号に変換する光電素子部と、
電力を供給する電源回路と、
４極端子を備えた一の出力ジャックを備えたジャック回路であって、前記出力ジャックに挿入されたアナログ信号用または光デジタル信号用のプラグに、前記アナログ信号または光デジタル信号を供給するジャック回路と、
前記４極端子の第一の端子であって、前記アナログ信号用のプラグのグランドと接続されたアナログ用グランド端子と、
前記４極端子の第二の端子であって、前記電源回路と接続された電力供給端子と、
前記４極端子の第三の端子であって、第一のアナログ信号チャンネルと接続されたチャンネル端子と、
前記４極端子の第四の端子であって、第二のアナログ信号チャンネルまたは光デジタル信号用のプラグのグランドと選択的に接続される切替端子と、
前記切替端子の接続先を、前記第二のアナログ信号チャンネルと前記グランドとで切り替えるスイッチ回路と、
前記電力供給端子と電気的に接続する電力供給用導体部と、前記切替端子と電気的に接続するグランド用導体部と、二つの絶縁部と、前記光電素子部と光学的に結合する光ファイバとを備えた、４極で構成された光デジタル信号用のプラグが、前記出力ジャックに挿入された場合、前記電源回路から電力の供給を開始させ、かつ前記スイッチ回路を前記グランド側に切り替える制御部とを備えたことを特徴とする電子機器。
【請求項２】
前記出力ジャックに前記プラグが挿入された場合、前記アナログ用グランド端子の位置が遷移することにより前記アナログ用グランド端子と物理的に接触して導通する第一の導通端子と、
前記出力ジャックに挿入された前記プラグを介して、前記アナログ用グランド端子と導通する第二の導通端子とをさらに備え、
前記制御部は、前記アナログ用グランド端子と前記第一の導通端子とが導通し、かつ前記アナログ用グランド端子と前記第二の導通端子とが非導通である場合に、前記４極で構成された光デジタル信号用のプラグが挿入されたと判定し、前記電源回路より電力の供給を開始させる請求項１記載の電子機器。
【請求項３】
前記出力ジャックに挿入された前記プラグを介して、前記電力供給端子と導通する第三の導通端子をさらに備え、
前記制御部は、前記電気供給端子と前記第三の導通端子が導通した場合に、前記スイッチ回路を前記グランド側に切り替える請求項２記載の電子機器。
【請求項４】
出力ジャックに挿入される４極で構成された光デジタル信号用のプラグと、
前記出力ジャックより供給された光デジタル信号を伝送する光ファイバケーブルと、
前記光ファイバケーブルより伝送された光デジタル信号を電気信号に変換し、出力するヘッドホン駆動回路とを備え、
前記プラグは、
前記出力ジャックより電力の供給を受ける電力供給用導体部と、
前記出力ジャックよりグランドと接続されるグランド供給用導体部と、
二つの絶縁部とを備え、
前記ヘッドホン駆動回路は、前記電力供給用導体部より供給された電力により駆動することを特徴とするヘッドホン。
【発明の詳細な説明】
【技術分野】
【０００１】
本発明は、オーディオデータを出力する電子機器および電子機器に接続されるヘッドホンに係り、特にアナログ信号および光デジタル信号の出力に互換性を有するインタフェースを備えた電子機器および電子機器に接続されるヘッドホンに関する。
【背景技術】
【０００２】
今日、パーソナルコンピュータなどの電子機器は、オーディオデータを再生するヘッドホンなどの接続が可能なインタフェース（Ｉ／Ｆ）を備えたものがある。
【０００３】
この電子機器からヘッドホンなどに出力されるオーディオ信号には、アナログ信号や光デジタル信号がある。このような場合、電子機器の小型化・軽量化の観点から、一のＩ／Ｆから複数種類の信号を出力可能なように構成することが望ましい。
【０００４】
これに対し、従来一つの出力ジャックであっても、ステレオプラグ、リモコン機能付きのヘッドホンプラグおよび光プラグを共通に使用することができる技術が知られている（例えば特許文献１）。
【特許文献１】特開平１０−１９９１５３号公報
【発明の開示】
【発明が解決しようとする課題】
【０００５】
電子機器より光デジタル信号を受け取り再生を行うヘッドホン（光デジタルヘッドホン）は、電子機器より受け取った光デジタル信号を電気信号に変換する光電素子(例えばフォトダイオードおよびその周辺回路（駆動回路）を備える。このため、光デジタルヘッドホンは光電素子やその周辺回路を駆動するための駆動電源を必要としている。従来、これらの電源供給源として、バッテリを備えた光デジタルヘッドホンが知られていた。
【０００６】
しかし、光デジタルヘッドホンにバッテリを設けることは、ヘッドホンの小型化・軽量化の障害となり、挿着感・使用感の向上の妨げにもなっていた。また、特許文献１には、複数のプラグを共通に使用することができる技術が開示されている。しかし、光デジタルヘッドホンの電源に関する、上述した課題については考慮されていなかった。
【０００７】
本発明はこのような事情を考慮してなされたもので、アナログ信号用および光デジタル信号用のヘッドホンに対して共通のＩ／Ｆを備えた電子機器であって、かつ光デジタルヘッドホンに対して電源供給を行うことができる電子機器を提供することを目的とする。
【０００８】
また、本発明の目的は、小型化・軽量化を図ることができるヘッドホンを提供するにある。
【課題を解決するための手段】
【０００９】
本発明に係る電子機器は、上述した課題を解決するために、アナログ信号およびデジタル信号のオーディオデータを出力するオーディオデータ出力回路と、前記オーディオデータ出力回路より出力されたデジタル信号を光デジタル信号に変換する光電素子部と、電力を供給する電源回路と、４極端子を備えた一の出力ジャックを備えたジャック回路であって、前記出力ジャックに挿入されたアナログ信号用または光デジタル信号用のプラグに、前記アナログ信号または光デジタル信号を供給するジャック回路と、前記４極端子の第一の端子であって、前記アナログ信号用のプラグのグランドと接続されたアナログ用グランド端子と、前記４極端子の第二の端子であって、前記電源回路と接続された電力供給端子と、前記４極端子の第三の端子であって、第一のアナログ信号チャンネルと接続されたチャンネル端子と、前記４極端子の第四の端子であって、第二のアナログ信号チャンネルまたは光デジタル信号用のプラグのグランドと選択的に接続される切替端子と、前記切替端子の接続先を、前記第二のアナログ信号チャンネルと前記グランドとで切り替えるスイッチ回路と、前記電力供給端子と電気的に接続する電力供給用導体部と、前記切替端子と電気的に接続するグランド用導体部と、二つの絶縁部と、前記光電素子部と光学的に結合する光ファイバとを備えた、４極で構成された光デジタル信号用のプラグが、前記出力ジャックに挿入された場合、前記電源回路から電力の供給を開始させ、かつ前記スイッチ回路を前記グランド側に切り替える制御部とを備えたことを特徴とする。
【００１０】
また、本発明に係るヘッドホンは、上述した課題を解決するために、出力ジャックに挿入される４極で構成された光デジタル信号用のプラグと、前記出力ジャックより供給された光デジタル信号を伝送する光ファイバケーブルと、前記光ファイバケーブルより伝送された光デジタル信号を電気信号に変換して、出力するヘッドホン駆動回路とを備え、前記プラグは、前記出力ジャックより電力の供給を受ける電力供給用導体部と、前記出力ジャックよりグランドと接続されるグランド供給用導体部と、二つの絶縁部とを備え、前記ヘッドホン駆動回路は、前記電力供給用導体部より供給された電力により駆動することを特徴とする。
【発明の効果】
【００１１】
本発明に係る電子機器においては、アナログ信号用および光デジタル信号用のヘッドホンに対して共通のＩ／Ｆを備えた電子機器であって、かつ光デジタルヘッドホンに対して電源供給を行うことができる。また、本発明に係るヘッドホンにおいては、小型化・軽量化を図ることができる。
【発明を実施するための最良の形態】
【００１２】
本発明に係る電子機器の実施形態について、添付図面を参照して説明する。
【００１３】
本発明に係る電子機器は、本実施形態においては、一例としてバッテリ駆動可能な携帯型のノートブック型パーソナルコンピュータとして実現される。
【００１４】
図１は、本発明に係る電子機器の実施形態であるノートブック型パーソナルコンピュータ（コンピュータ）のディスプレイユニットを開いた状態における斜視図である。コンピュータ１の本体は、基体部１１とディスプレイユニット１２とから構成されている。ディスプレイユニット１２の内面には、ＬＣＤ（Ｌｉｑｕｉｄ  Ｃｒｙｓｔａｌ  Ｄｉｓｐｌａｙ）１３から構成される表示装置が組み込まれている。ＬＣＤ１３の表示画面は、ディスプレイユニット１２のほぼ中央に位置する。
【００１５】
ディスプレイユニット１２は、基体部１１の後端部に支持される。このディスプレイユニット１２は、その基体部１１に対して基体部１１の上面が露出される開放位置と基体部１１の上面を覆う閉塞位置との間を回動自在に取り付けられる。基体部１１は、薄い箱形の筐体を有しており、その上面にはキーボード１４、コンピュータ１を電源オン／オフするためのパワーボタンスイッチ１５およびタッチパッド１６などが配置されている。
【００１６】
基体部１１の図示右側面には、出力ジャック１７が設けられる。出力ジャック１７は、例えば、後述するヘッドホンのヘッドホンプラグ（図４（Ａ）のヘッドホン７０のヘッドホンプラグ７４）が挿入されることにより、アナログ信号または光デジタル信号が出力されるようになっている。
【００１７】
図２は、本発明に係る電子機器の実施形態であるコンピュータ１のシステム構成例を示す図である。
【００１８】
コンピュータ１には、ＣＰＵ２０、ノースブリッジ２１、メモリ２２、グラフィクスコントローラ２３、サウスブリッジ２４、ＢＩＯＳ−ＲＯＭ２５、ハードディスクドライブ（ＨＤＤ）２９、光ディスクドライブ（ＯＤＤ）３０、オーディオコーデック（Ｃｏｄｅｃ）３２、ジャック回路２６、エンベデッドコントローラ／キーボードコントローラＩＣ（ＥＣ／ＫＢＣ）３５および電源回路２７とを備える。
【００１９】
ＣＰＵ２０は、コンピュータ１の動作を制御するプロセッサである。このＣＰＵ２０は、ハードディスクドライブ（ＨＤＤ）２９からメモリ２２にロードされる、オペレーティングシステムおよび各種アプリケーションプログラムを実行する。また、ＣＰＵ２０は、ＢＩＯＳ−ＲＯＭ２５に格納されたＢＩＯＳ（Ｂａｓｉｃ  Ｉｎｐｕｔ  Ｏｕｔｐｕｔ  Ｓｙｓｔｅｍ）も実行する。ＢＩＯＳは、ハードウェア制御のためのプログラムである。
【００２０】
ノースブリッジ２１は、ＣＰＵ２０のローカルバスとサウスブリッジ２４との間を接続するブリッジデバイスである。ノースブリッジ２１は、ＡＧＰ（Ａｃｃｅｌｅｒａｔｅｄ  Ｇｒａｐｈｉｃｓ  Ｐｏｒｔ）バスなどを介してグラフィクスコントローラ２３との通信を実行する機能を有している。グラフィクスコントローラ２３は、コンピュータ１のディスプレイモニタとして使用されるＬＣＤ１３を制御する表示コントローラである。このグラフィクスコントローラ２３は、ビデオメモリ（ＶＲＡＭ）２８を有しており、オペレーティングシステム／アプリケーションプログラムによってビデオメモリ２８に書き込まれた表示データからＬＣＤ１３に送出すべき表示信号を生成する。
【００２１】
サウスブリッジ２４には、ＢＩＯＳ−ＲＯＭ２５、ＨＤＤ２９、ＯＤＤ３０、オーディオコーデック（Ｃｏｄｅｃ）３２およびエンベデッドコントローラ／キーボードコントローラＩＣ（ＥＣ／ＫＢＣ）３５が接続されている。また、サウスブリッジ２４は、ＨＤＤ２９およびＯＤＤ３０を制御するための、例えばＩＤＥ（Ｉｎｔｅｇｒａｔｅｄ  Ｄｒｉｖｅ  Ｅｌｅｃｔｒｏｎｉｃｓ）コントローラも有している。さらに、サウスブリッジ２４は、オーディオ信号を生成するオーディオコントローラ３１を有している。
【００２２】
オーディオコントローラ３１は、オーディオコーデック３２、およびジャック回路２６の図示しない光電素子部（図３の光電素子部５９）にオーディオ信号を送出する。オーディオコーデック３２に供給されたオーディオ信号は、デジタル信号形式からアナログ信号形式に変換された後、出力アンプ３３を介してジャック回路２６に送出される。また、光電素子部に供給されるオーディオ信号は、所定フォーマットに変調されて送出されるようになっている。本実施形態においては、オーディオコントローラ３１、オーディオコーデック３２、および出力アンプ３３は、オーディオデータを出力するオーディオデータ出力回路として機能する。
【００２３】
エンベデッドコントローラ／キーボードコントローラＩＣ（ＥＣ／ＫＢＣ）３５は、電力管理のためのエンベデッドコントローラと、キーボード（ＫＢ）１４およびタッチパッド１６を制御するためのキーボードコントローラとが集積された１チップマイクロコンピュータである。このＥＣ／ＫＢＣ３５は、パワーボタンスイッチ（パワーボタン）１５がユーザによって押下されたとき、電源回路２７と共同してコンピュータ１を電源オンする。
【００２４】
電源回路２７は、バッテリ３６またはＡＣアダプタ３７の出力を基に所定の動作電源電圧Ｖｃｃを生成してコンピュータ１の各回路部に電力を供給する。本実施形態においては、ＥＣ／ＫＢＣ３５は制御部として機能する。電源回路２７はＥＣ／ＫＢＣ３５より供給されるコントロール信号に基づきジャック回路２６に対する電力の供給を行うようになっている。
【００２５】
図３は、本実施形態におけるコンピュータ１のジャック回路２６の構成例を説明する図である。
【００２６】
ジャック回路２６は、出力ジャック１７、スイッチ回路５０などを備える。出力ジャック１７内には、アナログ用グランド端子５１、電力供給端子５２、右チャンネル端子５３、切替端子５４、第一の導通端子５５、第二の導通端子５６、第三の導通端子５７および光電素子部（ＬＥＤ）５９が設けられる。
【００２７】
出力ジャック１７は、例えばステレオミニプラグなどのヘッドホンプラグが挿入される挿入口を有している。出力ジャック１７は、アナログ信号用プラグと、光デジタル信号用プラグとが挿入可能な、４極端子を備えた出力ジャックである。
【００２８】
出力ジャック１７の４極端子は、挿入口側から、アナログ用グランド端子５１、電力供給端子５２、右チャンネル端子５３、切替端子５４の順に配置されている。また、第一の導通端子５５は、アナログ用グランド端子５１と物理的に接触して導通する位置に配置される。第二の導通端子５６は、ヘッドホンプラグの導体部分を介してアナログ用グランド端子５１と導通する位置に配置される。第三の導通端子５７は、ヘッドホンプラグの導体部分を介して電力供給端子５２と導通する位置に配置されている。
【００２９】
アナログ用グランド端子５１は、アナログ信号用プラグ（図４（Ｂ）のアナログ信号用プラグ７４ａ）が挿入された場合に、アナログ信号用プラグのグランド用導体部（図４（Ｂ）のグランド用導体部８１）をグランドに接続する端子である。アナログ用グランド端子５１は、アナログ信号用プラグが出力ジャック１７に挿入された場合に、アナログ信号用プラグのグランド用導体部と電気的に接続される位置に形成されている。
【００３０】
電力供給端子５２は、電源回路２７と接続されており、制御部としてのＥＣ／ＫＢＣ３５の制御に基づき、電源回路から電力の供給を行う端子である。電力供給端子５２は、出力ジャック１７に電源Ｉ／Ｆ付光デジタル信号用プラグ（図４（Ｄ）の電源Ｉ／Ｆ付光デジタル信号用プラグ７４ｃ）が挿入された場合に、電源Ｉ／Ｆ付光デジタル信号用プラグの電力供給用導体部（図４（Ｄ）の電力供給用導体部８８）と電気的に接続される位置に形成されている。
【００３１】
右チャンネル端子５３は、出力アンプ３３より出力された第一のアナログ信号チャンネルとしての右チャンネルのアナログオーディオ信号が供給される端子である。右チャンネル端子５３は、アナログ信号用プラグが出力ジャック１７に挿入された場合に、アナログ信号用プラグの右チャンネル用導体部（図４（Ｂ）の右チャンネル用導体部８２）と電気的に接続される位置に形成されている。
【００３２】
切替端子５４は、第二のアナログ信号チャンネルとしての左チャンネルまたは光デジタル信号用プラグ用のグランドと選択的に接続される端子である。切替端子５４は、アナログ信号用プラグが出力ジャック１７に挿入された場合に、アナログ信号用プラグの左チャンネル用導体部（図４（Ｂ）の左チャンネル用導体部８３）と電気的に接続される位置に形成されている。また、切替端子５４は、電源Ｉ／Ｆ付光デジタル信号用プラグが出力ジャック１７に挿入された場合に、電源Ｉ／Ｆ付光デジタル信号用プラグのグランド用導体部（図４（Ｄ）のグランド用導体部８９）と電気的に接続される位置に形成されている。
【００３３】
第一の導通端子５５は、出力ジャック１７にヘッドホンプラグが挿入された場合、アナログ用グランド端子５１の位置が図示下方に遷移することにより、アナログ用グランド端子５１と物理的に接触して導通可能となる位置に配置されている。このとき、アナログ用グランド端子５１は、第一の導通端子５５との間でスイッチとして機能する。第二の導通端子５６は、アナログ用グランド端子５１と電気的に接続される導体部分を有するヘッドホンプラグが出力ジャック１７に挿入された場合、この導体部分を介してアナログ用グランド端子５１と導通可能な位置に配置されている。第三の導通端子５７は、電力供給端子５２と電気的に接続される導体部分を有するヘッドホンプラグが出力ジャック１７に挿入された場合、この導体部分を介して電力供給端子５２と導通可能な位置に配置されている。
【００３４】
各導通端子５５、５６、５７は、それぞれ対応する端子との間で導通状態であるか、非導通状態であるかに応じて、ＥＣ／ＫＢＣ３５に供給するステータス信号を生成する。
【００３５】
スイッチ回路５０は、切替端子５４と接続される左アナログ信号チャンネルとグランドとを切り替える。スイッチ回路５０は、ＥＣ／ＫＢＣ３５より供給されたコントロール信号に基づき、スイッチ切り替えを行う。
【００３６】
光電素子部（ＬＥＤ）５９は、出力ジャック１７に光デジタル信号用のヘッドホンプラグが挿入された場合に、デジタルオーディオ信号を光デジタル信号に変換するＬＥＤや、そのドライブ回路（図示せず）で構成される。光電素子部５９は、出力ジャック１７に挿入された光デジタル信号用のヘッドホンプラグの光ファイバと光学的に結合し光デジタル信号を供給する。光電素子部５９のＬＥＤは、ヘッドホンプラグの先端面に配置された光ファイバ（図4（Ｃ）および（Ｄ）の光ファイバ９０ｂ、９０ｃ）に光デジタル信号が入射するよう、ヘッドホンプラグの先端面と対向する位置に配置される。図３においては、便宜上、光電素子部５９は離れて表わされているが、実際には出力ジャック１７の挿入口奥の位置に配置されている。
【００３７】
次に、出力ジャック１７に挿入されるアナログ信号用および光デジタル信号用ヘッドホンについて説明する。
【００３８】
図４は、本実施形態におけるコンピュータ１と接続されるヘッドホンおよびそのプラグの外観構成図である。
【００３９】
図４（Ａ）に示すように、ヘッドホン７０は、ヘッドホンプラグ７４と、ヘッドホンコード７１と、ヘッドホン本体７２とで構成される。ヘッドホンプラグ７４は、上述した出力ジャック１７に挿入される端子であり、コンピュータ１より供給される信号の種類により、図４（Ｂ）〜（Ｄ）に示す異なる構造を有する。ヘッドホンコード７１は、ヘッドホンプラグ７４を介してコンピュータ１より入力された信号をヘッドホン本体７２に伝える伝送経路である。ヘッドホン本体７２には、図示しないヘッドホン駆動回路が設けられる。ヘッドホン駆動回路では、所定の信号処理が行われた後に、ヘッドホン本体７２の小型スピーカ７３Ｌ、７３Ｒを駆動する。ヘッドホン本体７２は、ユーザの両耳に当てられる一対の小型スピーカ７３Ｌ、７３Ｒと、それらを繋ぐアーム部７７とで構成される。
【００４０】
図４（Ｂ）は、ヘッドホン７０がアナログ信号を受け取り音声再生を行うヘッドホンとして構成される場合のアナログ信号用プラグの構成を示す図である。図４（Ｃ）は、ヘッドホン７０が光デジタル信号を受け取り音声再生を行うヘッドホンとして構成される場合の光デジタル信号用プラグの構成を示す図である。図４（Ｄ）は、ヘッドホン７０が光デジタル信号を受け取り音声再生を行うヘッドホンであって、かつ接続されたコンピュータ１より電力の供給を受け取り可能に構成されたヘッドホンの電源Ｉ／Ｆ付光デジタル信号用プラグの構成を示す図である。
【００４１】
図４（Ｂ）〜（Ｄ）に示す各プラグ７４ａ、７４ｂ、７４ｃ（ヘッドホンプラグ７４）は、出力ジャック１７に挿入可能なヘッドホンプラグであって、例えばステレオミニプラグである。ヘッドホンプラグ７４は、支持部７５ａ、７５ｂ、７５ｃ（支持部７５）と、プラグ本体７６ａ、７６ｂ、７６ｃ（プラグ本体７６）とを有する。
【００４２】
支持部７５は、プラグ本体７６を支持する。プラグ本体７６は、出力ジャック１７に挿入される部分であり、支持部７５より突出して設けられる。また、プラグ本体７６は、略円柱形状をなしており、プラグ本体７６の先端部の側面にくぼみが形成される。
【００４３】
図４（Ｂ）に示すアナログ信号用プラグ７４ａのプラグ本体７６ａは、グランド用導体部８１と右チャンネル用導体部８２と左チャンネル用導体部８３とを有する。プラグ本体７６ａは、その根元部から先端部にかけて、グランド用導体部８１、右チャンネル用導体部８２、左チャンネル用導体部８３の順に配置される。各導体間は、絶縁体８４ａが配置されることにより絶縁されている。グランド用導体部８１、右チャンネル用導体部８２、左チャンネル用導体部８３は、ヘッドホンコード７１を介してヘッドホン本体７２のヘッドホン駆動回路（図示せず）にそれぞれ接続される。
【００４４】
図４（Ｃ）に示す光デジタル信号用プラグ７４ｂのプラグ本体７６ｂは、絶縁部８５ｂと導体部８６とを有する。プラグ本体７６ｂは、その根元部から先端部にかけて、絶縁部８５ｂと導体部８６の順に配置される。
【００４５】
図４（Ｄ）に示す電源Ｉ／Ｆ付光デジタル信号用プラグ７４ｃのプラグ本体７６ｃは、絶縁部８５ｃと電力供給用導体部８８、グランド用導体部８９とを有する。プラグ本体７６ｃは、その根元部から先端部にかけて、絶縁部８５ｃ、電力供給用導体部８８、絶縁部８５ｃ、グランド用導体部８９の順に配置される。また、絶縁部８５ｃ、電力供給用導体部８８、絶縁部８５ｃ、グランド用導体部８９の各間には、絶縁体８４ｃが配置される。
【００４６】
プラグ本体７６ｂおよびプラグ本体７６ｃは中空であり、その中空部分に光ファイバケーブル９０ｂ、９０ｃが設けられる。光ファイバケーブル９０ｂ、９０ｃは、その先端がそれぞれ導体部８６およびグランド用導体部８９の先端面から外部に露出されており、光電素子部５９と光学的に結合する。光ファイバケーブル９０ｂ、９０ｃ、およびプラグ本体７６ｃの電力供給用導体部８８、グランド用導体部８９は、ヘッドホンコード７１を介してヘッドホン本体７２のヘッドホン駆動回路（図示せず）にそれぞれ接続される。
【００４７】
次に、ヘッドホン７０を出力ジャック１７に挿入した場合のコンピュータ１の動作について説明する。
【００４８】
制御部としてのＥＣ／ＫＢＣ３５は、ジャック回路２６の各端子の接続状態により供給されるステータス信号に応じて、電源回路２７およびスイッチ回路５０を制御するコントロール信号を生成するようになっている。具体的には、ＥＣ／ＫＢＣ３５は、出力ジャック１７にプラグが挿入されたか否かを示すステータス信号Ｓ０、挿入されたプラグがアナログ信号用プラグおよび、光デジタル信号用のヘッドホンプラグ７４（光デジタル信号用プラグ７４ｂ、電源Ｉ／Ｆ付光デジタル信号用プラグ７４ｃ）のいずれかを示すステータス信号Ｓ１のレベルの組み合わせにより、電源回路２７を制御するコントロール信号Ｃ０を生成する。また、ＥＣ／ＫＢＣ３５は、電力供給端子５２より電源Ｉ／Ｆ付光デジタル信号用プラグ７４ｃが挿入されたか否かを示すステータス信号Ｓ２のレベルにより、スイッチ回路５０を制御するコントロール信号Ｃ１を生成する。
【００４９】
これらの制御は、電源Ｉ／Ｆ付光デジタル信号用プラグ７４ｃを備えたヘッドホン７０が挿入された場合、電源回路２７から電力（ヘッドホン駆動回路の動作電圧）の供給を開始させ、かつスイッチ回路５０をグランド側に切り替えるために実行される。
【００５０】
図５は、ジャック回路２６の出力ジャック１７にヘッドホンプラグ７４が挿入されていない場合の接続図である。図６は、ジャック回路２６の出力ジャック１７にアナログ信号用プラグ７４ａが挿入された場合の接続図である。図７は、ジャック回路２６の出力ジャック１７に光デジタル信号用プラグ７４ｂが挿入された場合の接続図である。図８は、ジャック回路２６の出力ジャック１７に電源Ｉ／Ｆ付光デジタル信号用プラグ７４ｃが挿入された場合の接続図である。図９は、出力ジャック１７にヘッドホンプラグ７４が挿入されていない場合、およびアナログ信号用プラグ７４ａ（アナログプラグ）、光デジタル信号用プラグ７４ｂ（デジタルプラグ）、電源Ｉ／Ｆ付光デジタル信号用プラグ７４ｃ（電源Ｉ／Ｆ付光デジタルプラグ）が挿入された場合のステータス信号Ｓ０、Ｓ１、Ｓ２の組み合わせを示す表である。
【００５１】
出力ジャック１７に、ヘッドホンプラグ７４が挿入されていない場合、アナログ用グランド端子５１が接続していないため、アナログ用グランド端子５１の位置は遷移せず、第一の導通端子５５とアナログ用グランド端子５１との接触は発生しない（図５）。このため、ＥＣ／ＫＢＣ３５に供給されるステータス信号Ｓ０は“Ｈ”レベルである。一方、出力ジャック１７に、ヘッドホンプラグ７４が挿入された場合（図６〜８）、挿入されたヘッドホンプラグ７４とアナログ用グランド端子５１とが接触するため、アナログ用グランド端子５１の位置が遷移する。このため、第一の導通端子５５とアナログ用グランド端子５１との物理的な接触により導通し、ＥＣ／ＫＢＣ３５に供給されるステータス信号Ｓ０は“Ｌ”レベルとなる。
【００５２】
また、出力ジャック１７にアナログ信号用プラグ７４ａが挿入された場合（図６）、第二の導通端子５６は、アナログ信号用プラグ７４ａのグランド用導体部８１を介してアナログ用グランド端子５１と導通する。このため、ＥＣ／ＫＢＣ３５に供給されるステータス信号Ｓ１は“Ｌ”レベルとなる。一方、出力ジャック１７にヘッドホンプラグ７４が挿入されていない場合（図５）、および光デジタル信号用プラグ７４ｂ、電源Ｉ／Ｆ付光デジタル信号用プラグ７４ｃが挿入された場合（図７、８）には、第二の導通端子５５とアナログ用グランド端子５１とは導通しない。光デジタル信号用プラグ７４ｂ、電源Ｉ／Ｆ付光デジタル信号用プラグ７４ｃは、第二の導通端子５６とアナログ用グランド端子５１とは接触するが、光デジタル信号用プラグ７４ｂ、電源Ｉ／Ｆ付光デジタル信号用プラグ７４ｃの接触箇所は絶縁部８５ｂ、８５ｃで構成されているためである。このため、ＥＣ／ＫＢＣ３５に供給されるステータス信号Ｓ１は“Ｈ”レベルとなる。
【００５３】
ここで、ＥＣ／ＫＢＣ３５は、ステータス信号Ｓ０およびＳ１のレベルの組み合わせにより、ジャック回路２６にヘッドホンプラグ７４が挿入され、かつ光デジタル信号用のヘッドホンプラグ７４（光デジタル信号用プラグ７４ｂ、電源Ｉ／Ｆ付光デジタル信号用プラグ７４ｃ）が挿入されたと判定することができる。すなわち、ＥＣ／ＫＢＣ３５は、図９に示すように、ステータス信号Ｓ０が“Ｌ”レベルであり、かつステータス信号Ｓ１が“Ｈ”レベルであった場合に、光デジタル信号用のヘッドホンプラグ７４が挿入されたと判定することができる。このとき、ＥＣ／ＫＢＣ３５は、コントロール信号Ｃ０を生成して電源回路２７の電力の供給を開始させる（イネーブル、ＥＮ）。
【００５４】
ステータス信号Ｓ０およびＳ１の組み合わせにより、電力供給端子５２に電力が供給されない場合、すなわち、ヘッドホンプラグ７４が挿入されていない場合（図５）およびアナログ信号用プラグ７４ａが挿入された場合（図６）、第三の導通端子５７には電圧が加えられない。このため、ＥＣ／ＫＢＣ３５に供給されるステータス信号Ｓ２は“Ｌ”レベルとなる。また、電力供給端子５２に電力が供給された場合であり、光デジタル信号用プラグ７４ｂが挿入された場合（図７）、第三の導通端子５７と電力供給端子５２とは導通しないため、ＥＣ／ＫＢＣ３５に供給されるステータス信号Ｓ２は“Ｌ”レベルとなる。光デジタル信号用プラグ７４ｂの接触箇所は絶縁部８５ｂで構成されているためである。
【００５５】
一方、電力供給端子５２に電力が供給された場合であり、電源Ｉ／Ｆ付光デジタル信号用プラグ７４ｃが挿入された場合（図８）、第三の導通端子５７と電力供給端子５２は導通する。このため、ＥＣ／ＫＢＣ３５に供給されるステータス信号Ｓ２は“Ｈ”レベルとなる。
【００５６】
ここで、ＥＣ／ＫＢＣ３５は、ステータス信号Ｓ２のレベルにより、電源Ｉ／Ｆ付光デジタル信号用プラグ７４ｃが挿入されたと判定することができる。すなわち、ＥＣ／ＫＢＣ３５は、図９に示すように、ステータス信号Ｓ２が“Ｈ”レベルであった場合に、電源Ｉ／Ｆ付光デジタル信号用プラグ７４ｃが挿入されたと判定することができる。このとき、ＥＣ／ＫＢＣ３５は、コントロール信号Ｃ１を生成してスイッチ回路５０をグランド側に切り替える。切替端子５４は、グランド側に接続され、電源Ｉ／Ｆ付光デジタル用信号プラグ７４ｃはグランドと接続される。なお、ＥＣ／ＫＢＣ３５は、図９に示すように、ステータス信号Ｓ２が“Ｌ”レベルであった場合には、スイッチ回路５０をＬ−ｃｈ側に切り替え、切替端子５４は左チャンネル側に接続される。
【００５７】
このようにジャック回路２６より供給されるステータス信号Ｓ０〜Ｓ２のレベルの組み合わせにより、ＥＣ／ＫＢＣ３５は、ヘッドホンプラグ７４の挿入の有無および挿入されたヘッドホンプラグ７４の種類を知ることができる。この結果、ＥＣ／ＫＢＣ３５により、電源回路２７およびスイッチ回路５０が制御され、電源Ｉ／Ｆ付光デジタル信号用プラグ７４ｃには電力およびグランドの供給を行うことができる。
【００５８】
すなわち、アナログ信号用プラグａが挿入されている場合には、右チャンネル端子５３、左チャンネル端子（切替端子５４）、アナログ用グランド端子５１をアナログ信号用プラグ７４ａに供給することができる。また、光デジタル信号用プラグ７４ｂが挿入されている場合には、特に電力の供給を行うことなく、光電素子部５９より光デジタル信号を供給することができる。さらに、電源Ｉ／Ｆ付光デジタル信号用プラグ７４ｃが挿入されている場合には、光デジタル信号に加え、電力およびグランドを供給することができる。
【００５９】
本実施形態におけるコンピュータ１は、電源Ｉ／Ｆ付光デジタル信号用プラグ７４ｃを備えたヘッドホン７０に対し、好適に電力およびグランドを供給することができる。ここで、図１０は、電源Ｉ／Ｆ付光デジタル信号用プラグ７４ｃを備えたヘッドホン本体７２を概念的に説明する図である。図１０に示すように、ヘッドホン本体７２に収納されたヘッドホン駆動回路９１は、アナログ信号用プラグ７４ａと同様に、コンピュータ１のジャック回路２６より電力およびグランドの供給を受けることができる。このため、ヘッドホン駆動回路９１の駆動に必要な動作電圧がコンピュータ１より供給されるため、ヘッドホン本体７２に必要であったバッテリなどの電源が不要となる。ゆえに、ヘッドホン７０の小型化、軽量化を図ることができる。また、ヘッドホン７０にはコンピュータ１より電力が供給されるため、バッテリなどの限られた電源と比較して、長時間の動作を実現することができる。
【００６０】
また、コンピュータ１のジャック回路２６は、電源Ｉ／Ｆ付光デジタル信号用プラグ７４ｃのみならず、従来から用いられているアナログ信号用プラグ７４ａおよび光デジタル信号用プラグ７４ｂに対しても共通のＩ／Ｆを有しているため、複数種類のヘッドホンプラグ７４を有するヘッドホン７０が使用可能な点で有効である。
【００６１】
なお、本実施形態におけるコンピュータ１の出力ジャック１７とヘッドホン７０のヘッドホンプラグ７４とを接続する例を説明したが、ヘッドホン７０に限らず、ジャック回路２６と接続され、光デジタル信号の供給を受ける他の音響再生機器に適用してもよい。例えば、光デジタル信号の供給を受け付けてオーディオデータを再生するスピーカなどに適用してもよい。
【００６２】
また、本実施形態におけるヘッドホン７０は必要な電力を全てコンピュータ１より供給されるように構成してもよいし、ヘッドホン本体７２に設けられた電源と共用または選択的に使用可能に構成してもよい。
【００６３】
さらに、本実施形態においては、制御部としてＥＣ／ＫＢＣ３５を適用したが、ドライバを適用することにより実現してもよい。
【００６４】
本発明に係る電子機器は、上記説明したノートブック型のパーソナルコンピュータのほかにも、様々な電子機器に適用可能であり、デスクトップ型コンピュータやワードプロセッサ、音響機器、通信機器などの他の電子機器に適用することが可能である。
【図面の簡単な説明】
【００６５】
【図１】本発明に係る電子機器の実施形態であるノートブック型パーソナルコンピュータ（コンピュータ）のディスプレイユニットを開いた状態における斜視図。
【図２】本発明に係る電子機器の実施形態であるコンピュータのシステム構成例を示す図。
【図３】本実施形態におけるコンピュータのジャック回路の構成例を説明する図。
【図４】本実施形態におけるコンピュータと接続されるヘッドホンおよびそのプラグの外観構成図。
【図５】ジャック回路の出力ジャックにヘッドホンプラグが挿入されていない場合の接続図。
【図６】ジャック回路の出力ジャックにアナログ信号用プラグが挿入された場合の接続図。
【図７】ジャック回路の出力ジャックに光デジタル信号用プラグが挿入された場合の接続図。
【図８】ジャック回路の出力ジャックに電源Ｉ／Ｆ付光デジタル信号用プラグが挿入された場合の接続図。
【図９】ジャック回路の出力ジャックにヘッドホンプラグが挿入されていない場合の接続図。
【図１０】電源Ｉ／Ｆ付光デジタル信号用プラグを備えたヘッドホン本体を概念的に説明する図。
【符号の説明】
【００６６】
１  コンピュータ
１７  出力ジャック
７４  ヘッドホンプラグ
２６  ジャック回路
２７  電源回路
３１  オーディオコントローラ
３２  オーディオコーデック
３３  出力アンプ
３５  エンベデッドコントローラ／キーボードコントローラＩＣ（ＥＣ／ＫＢＣ）
３６  バッテリ
３７  アダプタ
５０  スイッチ回路
５１  アナログ用グランド端子
５２  電力供給端子
５３  右チャンネル端子
５４  切替端子
５５  第一の導通端子
５６  第二の導通端子
５７  第三の導通端子
５９  光電素子部
７０  ヘッドホン
７１  ヘッドホンコード
７２  ヘッドホン本体
７３Ｌ、７３Ｒ  小型スピーカ
７４  ヘッドホンプラグ
７４ａ  アナログ信号用プラグ
７４ｂ  光デジタル信号用プラグ
７４ｃ  電源Ｉ／Ｆ付光デジタル信号用プラグ
７５  支持部
７６  プラグ本体
７７  アーム部
８１  グランド用導体部
８２  右チャンネル用導体部
８３  左チャンネル用導体部
８４ａ、８４ｃ  絶縁体
８５ｂ、８５ｃ  絶縁部
８６  導体部
８８  電力供給用導体部
８９  グランド用導体部
９０ｂ、９０ｃ  光ファイバケーブル
９１  ヘッドホン駆動回路
【図１】
2010154173.tif 000003
【図２】
2010154173.tif 000004
【図３】
2010154173.tif 000005
【図４】
2010154173.tif 000006
【図５】
2010154173.tif 000007
【図６】
2010154173.tif 000008
【図７】
2010154173.tif 000009
【図８】
2010154173.tif 000010
【図９】
2010154173.tif 000011
【図１０】
2010154173.tif 000012